(57)【要約】【課題】血圧測定を開始する際に、腕帯部を上腕の所定の測定位置に仮止めして保持することができ、正確な血圧測定が行える電子血圧計を提供する。【解決手段】電子血圧計１は、測定者の上腕Ｔを挿入して血管を加圧するための空気袋１４を収容する硬質で筒状のケース１１を有する腕帯部２と、腕帯部２とは別体であり、腕帯部２の空気袋１４に空気を送る血圧計本体１０とを有し、腕帯部２のケース１１には、ケース１１の径を可変して腕帯部２を上腕Ｔに仮止めするための仮止め設定部１００が設けられている。【選択図】図７
2011125394.tif 000002
【特許請求の範囲】
【請求項１】
測定者の上腕を挿入して血管を加圧するための空気袋を収容するための筒状のケースを有する腕帯部と、
前記腕帯部とは別体であり、前記空気袋に空気を送る血圧計本体と
を有し、
前記腕帯部の前記ケースには、前記ケースの径を可変して前記上腕に仮止めするための仮止め設定部が設けられていることを特徴とする電子血圧計。
【請求項２】
前記仮止め設定部は、ある程度弾性を有する硬質の材料で形成された前記筒状ケースにおいて、該筒状ケースの径方向と直交する方向である軸方向に沿って形成されたリングの一端側をなす第１端部と、リングの他端側をなす第２端部とを有し、
前記第１端部と前記第２端部は重なっており、
前記ケースの前記第１端部と前記ケースの前記第２端部の一方には突起部が形成され、他方には前記突起部を弾性的に着脱可能にはめ込むための凹部が形成され、
前記第１端部と前記第２端部との相対位置を変更して保持可能な構成とされている
ことを特徴とする請求項１に記載の電子血圧計。
【請求項３】
前記仮止め設定部は、前記筒状ケースの径方向と直交する方向である軸方向に沿って間隔を設けることで形成されたリングの一端側をなす第１端部と、リングの他端側をなす第２端部と、一端部が前記第２端部に固定され、他端部が前記第１端部に対して着脱可能に固定されることで、前記第１端部と前記第２端部との前記間隔を変更して保持可能な間隔調整部材とを有することを特徴とする請求項１に記載の電子血圧計。
【請求項４】
前記空気袋内の空気の圧力が前記停止目標圧力に到達後、コロトコフ音（Ｋ音）を検出して最高血圧を検出し、前記コロトコフ音（Ｋ音）の消失により最低血圧を検出するためのマイクロフォンを有することを特徴とする請求項１〜請求項３のいずれか１つ項に記載の電子血圧計。
【発明の詳細な説明】
【技術分野】
【０００１】
本発明は、電子血圧計に関し、特に空気袋を有する腕帯部と血圧計本体が別体でありこの腕帯部を上腕に対して確実に装着できる電子血圧計に関するものである。
【背景技術】
【０００２】
近年、医療機関で行われている高血圧治療向けの血圧測定において、白衣性高血圧症による擬似高血圧が問題にされている。この擬似高血圧症の原因としては、病院内での医師の前での緊張、不安等の精神面での不安定が考えられている。これに対して、精神的に安定している家庭にて一人で測定した血圧値に注目が集まっている。このため、この家庭血圧測定に用いる一人で測定するタイプの電子血圧計が注目されている。
このタイプの血圧計で測定上問題となるのが、腕帯部の腕への装着の仕方である。腕帯部内の空気袋の位置が上腕に対して適当でない場合や、上腕に対して巻き付け強さが適当でない場合に、腕帯部の空気袋の圧迫が上腕に正しく行われず、血圧が高く測定される場合がある。
近年、これを解決するために、筒状の腕帯部に腕を挿入するだけで、自動的に腕帯部の空気袋を腕の正しい位置に配置し、正しい巻き付け強さにて血圧測定を行うことができるようにした血圧計本体と腕帯部を一体とした電子血圧計が開発されている。
【０００３】
しかし、使用者が上記タイプの血圧計を使用すると、腕を挿入する腕帯部が血圧計本体と一体となっているので、装置をテーブル等に載置して使用する場合等、血圧計本体の位置が測定者から離れていた場合には、測定者は前かがみ状態での測定となり易い。このため、測定者の腹部が圧迫されて腹圧が上昇し、その結果、血圧が上昇する現象が見られる場合がある。この血圧上昇を、新たな擬似高血圧症の発生として、指摘されている。
そこで、このような擬似高血圧症の発生という不都合に対応するために、血圧計本体から硬質の筒状の腕帯部が分離できて、血圧計本体の設置場所が測定者から離れていても、測定者が座位にて背を伸ばした状態で腹圧の掛からない測定をすることが可能なタイプの電子血圧計が開発されている（特許文献１を参照）。
【先行技術文献】
【特許文献】
【０００４】
【特許文献１】特開平５―５６９３８号公報
【発明の概要】
【発明が解決しようとする課題】
【０００５】
ところが、上述した腹圧の掛からない測定の電子血圧計では、腕帯部は、例えばプラスチック製の硬質のケースと、このケース内に配置された空気袋を有しており、比較的重量がある。血圧を測定する際には、測定者がこの腕帯部に上腕を挿入後、腕帯部が上腕の所定の測定位置から滑り落ちないようにするために、測定者は腕帯部を手で軽く押さえて固定をし、そして血圧計本体側の測定スイッチを押している。
このため、腕帯部を保持しながら血圧計本体側の測定スイッチを押す動作が容易ではなく、腕帯部が上腕の所定の測定位置からずれてしまうと、正確な血圧測定ができなくなってしまう。
そこで、上記課題を解消するために、本発明は、血圧測定を開始する際に、腕帯部を上腕に上腕の所定の測定位置に仮止めして保持することができ、正確な血圧測定が行える電子血圧計を提供することを目的とする。
【課題を解決するための手段】
【０００６】
本発明の電子血圧計は、測定者の上腕を挿入して血管を加圧するための空気袋を収容するための硬質で筒状のケースを有する腕帯部と、前記腕帯部とは別体であり、前記空気袋に空気を送る血圧計本体とを有し、前記腕帯部の前記ケースには、前記ケースの径を可変して前記上腕に仮止めするための仮止め設定部が設けられていることを特徴とする。
上記構成によれば、血圧測定を開始する際に、腕帯部を上腕の所定の測定位置に仮止めして保持することでき、正確な血圧測定が行える。
【０００７】
本発明の電子血圧計では、前記仮止め設定部は、ある程度弾性を有する硬質の材料で形成された前記筒状ケースにおいて、該筒状ケースの径方向と直交する方向である軸方向に沿って形成されたリングの一端側をなす第１端部と、リングの他端側をなす第２端部とを有し、前記第１端部と前記第２端部は重なっており、前記ケースの前記第１端部と前記ケースの前記第２端部の一方には突起部が形成され、他方には前記突起部を弾性的に着脱可能にはめ込むための凹部が形成され、前記第１端部と前記第２端部との相対位置を変更して保持可能な構成とされていることを特徴とする。
上記構成によれば、突起部を凹部に対してはめ込んで、第１端部と第２端部との相対位置を変えるだけで、腕帯部を上腕に上腕の所定の測定位置に簡単に仮止めして保持することできる。
【０００８】
本発明の電子血圧計では、前記仮止め設定部は、前記筒状ケースの径方向と直交する方向である軸方向に沿って間隔を設けることで形成されたリングの一端側をなす第１端部と、リングの他端側をなす第２端部と、一端部が前記第２端部に固定され、他端部が前記第１端部に対して着脱可能に固定されることで、前記第１端部と前記第２端部との前記間隔を変更して保持可能な間隔調整部材とを有することを特徴とする。
上記構成によれば、間隔調整部材の他端部をケースの第１端部に対して着脱可能に固定して、第１端部と第２端部との間隔を小さくするだけで、腕帯部を上腕に上腕の所定の測定位置に簡単に仮止めして保持することできる。
【０００９】
本発明の電子血圧計では、前記空気袋内の空気の圧力が前記停止目標圧力に到達後、コロトコフ音（Ｋ音）を検出して最高血圧を検出し、前記コロトコフ音（Ｋ音）の消失により最低血圧を検出するためのマイクロフォンを有することを特徴とする。
上記構成によれば、コロトコフ音により血圧を検出する形式の電子血圧計であっても、腕帯部を上腕の所定の測定位置に仮止めして保持して、マイクロフォンを正確な位置に位置決めすることでき、正確な血圧測定が行える。
【発明の効果】
【００１０】
本発明によれば、血圧測定を開始する際に、簡単な操作により、腕帯部を上腕に上腕の所定の測定位置に仮止めして保持することでき、正確な血圧測定が行える電子血圧計を提供することができるとともに、腕帯部を持ち上げて上腕を入れるだけの簡単操作で、お腹を圧迫することなくリラックスした正しい測定姿勢をとることができる。
【図面の簡単な説明】
【００１１】
【図１】本発明の電子血圧計の実施形態１を前側から示す斜視図である。
【図２】図１の電子血圧計を後側から示す斜視図である。
【図３】図３（Ａ）は、電子血圧計の腕帯部と血圧計本体を分離した状態を示す斜視図であり、図３（Ｂ）は、腕帯部に測定者の上腕を挿入した状態を示す斜視図である。
【図４】腕帯部の構造例を示す斜視図である。
【図５】腕帯部の内部構造例を示す断面図である。
【図６】腕帯部の本体ケースの仮止め設定部の構造例を示す図である。
【図７】図７（Ａ）は、血圧測定する前の本体ケースを拡径した状態を示し、図７（Ｂ）は、血圧測定するために腕帯部２に上腕を挿入した後に本体ケースを縮径して仮止めした状態を示す図である。
【図８】図８（Ａ）は、外布と空気袋のユニットＵＴを示す斜視図であり、図８（Ｂ）は、このユニットＵＴを別の方向から見た斜視図であり、図８（Ｃ）は、ユニットＵＴを折りたたんだ状態を示す斜視図である。
【図９】図９（Ａ）は、空気袋とマイクを示す斜視図であり、図９（Ｂ）は、空気袋と外布と内布カバーと、マイクを示す図である。
【図１０】空気袋を形成するシート例を示す図である。
【図１１】空気袋を形成する工程例を示す図である。
【図１２】電子血圧計のブロック構成図である。
【図１３】本発明の電子血圧計の好ましい実施形態２を前側から示す斜視図である。
【図１４】本発明の実施形態２における仮止め設定部の構造を示す図である。
【発明を実施するための形態】
【００１２】
以下に、本発明の好ましい実施形態を、図面を参照して詳しく説明する。
（実施形態１）
図１は、本発明の電子血圧計の好ましい実施形態１を前側から示す斜視図であり、図２は、図１の電子血圧計を後側から示す斜視図である。図３（Ａ）は、図１の電子血圧計の腕帯部と血圧計本体を分離した状態を示す斜視図であり、図３（Ｂ）は、図１の腕帯部に測定者の上腕を挿入した状態を示す斜視図である。
図１〜図３に示す電子血圧計１は、自動電子血圧計ともいい、図１〜図３に示すように、電子血圧計１は、腕帯部２と血圧計本体１０を備える。血圧計本体１０から腕帯部２を分離でき、血圧計本体１０の設置場所が測定者から離れていても、測定者は座位にて背を伸ばして腹圧の掛からない状態で測定が可能なタイプの電子血圧計である。この電子血圧計１は、血圧測定方式の一例としてリバロッチ・コロトコフ法が用いられ、コロトコフ音（Ｋ音）を検出して血圧測定を行う装置である。腕帯部２と血圧計本体１０は別体であり、図１と図２に示すように腕帯部２が血圧計本体１０に固定できるとともに、図３に示すように腕帯部２が血圧計本体１０から分離可能に形成されている。
【００１３】
図３（Ｂ）に示すように、この電子血圧計１は、測定者の上腕Ｔを腕帯部２の挿入開口１１Ｐから、Ｄ１方向に沿って挿入して血圧を測定する方式の血圧計である。腕帯部２と血圧計本体１０とは有線（電気信号線）３により電気的に接続され、しかも腕帯部２と血圧計本体１０とがエアーの給排気路であるフレキシブルなチューブ４により接続されている。
【００１４】
まず、図１〜図３を参照して、血圧計本体１０の構造について説明する。
図１に示すように、血圧計本体１０は、ケーシング３０と表示部３１を有している。ケーシング３０は、例えばプラスチック製の薄型の内部空間を有する部材であり、傾斜した上面部３２と、前端面部３３と後端面部３４と、側面部３５，３６と、底面部４２を有している。
図１に示すように、ケーシング３０の上面部３２には、傾斜した表示部３１が配置されており、測定者が表示部３１の表示内容を容易に確認できるようになっている。ケーシング３０には、測定開始操作部の一例としての開始／停止ボタン３７と、メモリ呼び出し・時刻・アラーム設定ボタン３８と、モード選択ボタン３９と、窪み部分４０が設けられている。測定者が開始／停止ボタン３７を押すことで、血圧測定操作の開始あるいは停止をするためのボタンである。
【００１５】
図１において、時刻を設定する場合には、例えば、メモリ呼び出し・時刻・アラーム設定ボタン３８とモード選択ボタン３９を同時に長押しすることで、操作・設定・入力機能として作用させることにより、表示部３１には時刻設定画面が表示され、時刻設定画面に表示されている時刻は、メモリ呼び出し・時刻・アラーム設定ボタン３８で選択しながら設定することができる。
【００１６】
また、図１において、例えばメモリ呼び出し・時刻・アラーム設定ボタン３８を押すことにより、過去の例えば１００件の血圧測定記録を表示部３１に表示できる。表示部３１に表示される各件の最高血圧値、最低血圧値、脈拍数、日時が、メモリ呼び出し・時刻・アラーム設定ボタン３８を押す毎に順番に表示できる。
【００１７】
図３に示すように、ケーシング３０の上面部３２の中央部分には、Ｙ方向に沿って窪み部分４０が形成されている。窪み部分４０は、ケーシング３０の中央部分から後端面部３４にかけて形成されており、窪み部分４０は半円形状部分４０Ｐと長方形状部分４０Ｒを有し、この窪み部分４０の半円形状部分４０Ｐの中央部には、円形状の開始／停止ボタン３７が配置されている。窪み部分４０の長方形状部分４０Ｒには、溝部分４１が形成されている。
【００１８】
図３に示すように、ケーシング３０には、窪み部分４０の開始／停止ボタン３７と溝部分４１の付近にマグネット４０Ｍが配置されている。このマグネット４０Ｍは例えば長方形状の板状の永久磁石であるが、特に形状に限定されず、円形状あるいは楕円形状等であっても良い。また、マグネット４０Ｍは、ケーシング３０の外側に露出していても良い。
図３の窪み部分４０と前端面部３３の間には、表示部３１がＸ方向に沿って配置されている。この表示部３１は、例えば液晶表示装置を用いることができ、一例として図１に示すように、表示部３１は、最高血圧値、最低血圧値、脈拍数、脈圧、測定動作中の表示マーク、電池交換の表示マーク等の各種の測定値等を表示することができる。
【００１９】
図１と図２に示すように、測定者が血圧計本体１０を持ち易いようにするために、側面部３５，３６は曲面状に形成されている。メモリ呼び出し・時刻・アラーム設定ボタン３８とモード選択ボタン３９は、上面部３２の表示部３１の付近に配置されている。図１に示すように、ケーシング３０の内部には、スピーカ４３と、２つのポンプ（第１ポンプ）４４とポンプ（第２ポンプ）４５と、排気バルブ４６と、制御バルブ４７と、制御システムを含む回路基板４８と、メモリ部６９が配置されている。スピーカ４３は、音声によるガイドや音楽によるガイドを出力するために設けられている。
【００２０】
次に、図１〜図３と、図４〜図７を参照して、腕帯部２の構造について説明する。
図４は、腕帯部２の構造例を示す斜視図である。図５は、腕帯部２の内部構造例を示す断面図である。図６は、腕帯部２の本体ケース１１の仮止め設定部１００の構造例を示す図である。図７は、図６に示す本体ケース１１の仮止め設定部１００の作用を拡大して示す図である。
図３（Ｂ）に示すように、腕帯部２は、血圧測定時に測定者の上腕Ｔを挿入して圧迫するために、図１と図２に示すように上腕Ｔに差し込むことが可能な両端部が切れた略円筒状構造（筒状体）を有している。これにより、この腕帯部２は、通常のハードケースを有しない布製の腕帯部と異なり測定者の上腕Ｔに対して巻き付ける必要が無く、左右のいずれの上腕Ｔへの挿入が可能で、測定者は容易に血圧測定ができる。
【００２１】
図４と図５に示すように、腕帯部２は、硬質で筒状のケースとしての本体ケース１１と、空気袋（カフともいう）１４と、外布１６と、内布カバー１７Ｃを有している。
図４と図５に示す本体ケース１１は、弾性変形可能であるが硬質で筒状のケースの一例であり、材質としては例えばプラスチックや金属で作られている。図５に示すように、本体ケース１１は、略円筒状構造を有しており、開口部１１Ｐと開口部１１Ｒを有している。本体ケース１１は、例えばＤ１方向に向かって先細りになるように形成され、開口部１１Ｐの直径Ｌ１は開口部１１Ｒの直径Ｌ２よりも大きい。本体ケース１１は、開口部１１Ｒ側に例えばほぼ扇型の把持部１１Ｈを有している。
例えば、図５に示す左腕の上腕ＴをＤ１方向に挿入孔７７に対して挿入し、あるいは逆方向に上腕Ｔを外す動作は、右手でこの把持部１１Ｈを持って行うことができる。また、右腕の上腕ＴをＤ１方向に挿入孔７７に挿入し、あるいは逆方向に上腕Ｔを外す動作は、左手でこの把持部１１Ｈを持って行うことができる。これにより、測定者は左右いずれの上腕Ｔに対しても、腕帯部２の装着動作あるいは取り外し動作を容易に行うことができる。しかも、本体ケース１１の開口部１１Ｐ、１１Ｒの大きさは、測定者が上腕を容易に挿入し易いようにするために、寸法的に余裕を持たせてあり、やや大きめになっている。
【００２２】
ここで、図６と図７を参照して、本体ケース１１の仮止め設定部１００の構造例について説明する。
図６は、腕帯部２の本体ケース１１の仮止め設定部１００の構造例を示し、図７（Ａ）は、血圧測定する前の本体ケース１１を拡径した状態を示し、図７（Ｂ）は、血圧測定するために腕帯部２に上腕を挿入した後に本体ケース１１を縮径して仮止めした状態を示している。
図６と図７に示すように、本体ケース１１は、いわゆるラチェット形式の仮止め設定部１００を有している。図１〜図５に示すように、本体ケース１１は完全な円筒形状ではなく、本体ケース１１の一部を軸方向（Ｄ１方向）、すなわち円筒の径方向と直交する方向に沿って割って形成されており、本体ケース１１は、図６のように円筒端部から見て、リングの一端側である第１端部１０１と、リングの他端側である第２端部１０２を有する。第１端部１０１と第２端部１０２は、Ｄ１方向に沿って平行に形成されている。図６と図７に示すように、第１端部１０１の外面１０３は、第２端部１０２の内面１０４に対して密接して入り込んでおり、第１端部１０１と第２端部１０１とは互いに重なっており、図７（Ａ）に示すように重なり部分ＢＭを有している。
【００２３】
図６と図７に示すように、第１端部１０１の外面１０３には、Ｖ方向に沿って複数の凹部１１２が、中間突部１１１Ａ〜１１１Ｄを挟んで形成されている。中間突部１１１Ａ〜１１１Ｄが、本体ケース１１の直径方向に突出するようにして形成されている。
これに対して、第２端部１０２の内面１０４には、１つの突起部１２１と、この突起部１２１の周囲に形成されたへこみ部１２２が、形成されている。このように第２端部１０２にはへこみ部１２２を形成することで、第２端部１０２の厚みを減らして第２端部１０２が弾性変形し易いようにしている。第２端部１０２の先端部１０５には、握り部分１０６が設けられており、この握り部分１０６は、本体ケース１１を拡径したり逆に本体ケース１１を縮径する場合に、測定者が指で持つようになっている。
第２端部１０２の突起部１２１は、第１端部１０１の任意の中間突部１１１Ａ〜１１１Ｄに対して突き当てることで、本体ケース１１の直径を図７（Ａ）に示す拡径状態から図７（Ｂ）に示す縮径状態に保持することができる。
【００２４】
なお、図７（Ｂ）に示す本体ケース１１の縮径状態からＶ２方向に沿って図７（Ａ）に示す拡径状態に戻すには、測定者が指で第２端部１０２の握り部分１０６を持って、第２端部１０２の内面１０４側を第１端部１０１の外面１０３からＥ方向に持ち上げる。これにより、第２端部１０２の突起部１２１と第１端部１０１の中間突部１１１Ａ〜１１１Ｄのいずれかとの突き当て状態を解除し、同時に本体ケース１１自体の弾性復帰力を利用して、図７（Ｂ）に示す本体ケース１１の縮径状態からＶ２方向に沿って図７（Ａ）に示す拡径状態に戻すことができる。すなわち、中間突部（１１１Ａ等）は、ひとつの突部が筒状本体のリング径方向の外方へ向かって徐々に縮径する略台形状に傾斜面を備えており、外形社面により突起部１２１を案内する案内部を形成している。これにより着脱が容易となっている。
本体ケース１１を図７（Ａ）に示す拡径状態に戻すと、第２端部１０２の突起部１２１と第１端部１０１の中間突起１１１Ｄに突き合った状態になり、これ以上本体ケース１１の直径が大きくなることはない。このようにして、本体ケース１１を拡径して保持できるので、測定者は腕帯部２から上腕を容易に抜き出すことができるようになっている。
【００２５】
図１と図３に戻ると、本体ケース１１の下側部分には、磁気吸着用部材の一例としての磁気吸着用のプレート部材２１０が設けられている。このプレート部材２１０は、例えば金属板であり、本体ケース１１の軸方向に沿って長くなるように形成され、血圧計本体１０のマグネット４０Ｍにより磁気的に吸着されるようになっている。このプレート部材２１０とマグネット４０Ｍは、腕帯部２を血圧計本体１０に固定するための固定手段２５０を構成している。
【００２６】
この固定手段２５０は、腕帯部２を血圧計本体１０から持ち上げる時に、血圧計本体１０と腕帯部２との結合力が解除される程度の力を有している。これにより、測定者が血圧測定をしない場合には腕帯部２が血圧計本体１０からは簡単に転がってしまうことがなく、また測定者が血圧測定をしようとする場合には、腕帯部２が血圧計本体１０から取りづらくなるということが無くなる。これにより、腕帯部２が血圧計本体１０と別体になっていても、使用勝手が良い。
さらに好ましくは、このマグネット４０Ｍがプレート部材２１０を磁気的に吸着する力は、例えば血圧計本体１０の重量を超えるように設定することができる。これにより、測定者が電子血圧計１を運ぶ際に、測定者が血圧計本体１０を持たずに腕帯部２だけを持ち上げてしまった場合に、腕帯部２から血圧計本体１０だけが不用意に落下することを防止できる。
【００２７】
また、すでに説明したように、プレート部材２１０は、本体ケース１１の軸方向に沿って長くなるように形成されているので、腕帯部２は、血圧計本体１０に対して、磁気的吸引力を維持しながら、血圧計本体１１の窪み部分４０に沿ってＹ方向に移動可能である。これにより、測定者が腕帯部２を血圧計本体１０に対して、磁気的吸引力を維持しながらＹ方向に移動できるので、腕帯部２が表示部３１に被さった状態から腕帯部２を後退させて、表示部３１が腕帯部２により見えなくなってしまうという不都合を解消できる。このため、測定者は表示部３１の表示内容を容易に確認でき、使用勝手が向上する。
【００２８】
さらに、図１に示すように、腕帯部２が血圧計本体１０の窪み部分４０に配置されている収納状態では、開始／停止ボタン３７が腕帯部２の下部にある。つまり、腕帯部２が収納されている状態では、測定者は開始／停止ボタン３７を押せないようになっている。そして、測定者が腕帯部２を血圧計本体１０の窪み部分４０から磁気的吸着力に抗して取り外せば、開始／停止ボタン３７が露出するので、測定者はこの開始／停止ボタン３７を押すことができる。
【００２９】
図４と図５に示す空気袋１４は、例えば、塩化ビニル，ウレタン、合成ゴム，天然ゴム等の伸縮性を有する材質で形成されている。空気袋１４内へは、図１に示す血圧計本体１０内の破線で示す第１ポンプ４４と第２ポンプ４５の作動により、チューブ４を通じてエアーを供給されることにより膨張することで上腕Ｔを圧迫する。空気袋１４の内圧を一定速度で減圧するため、制御バルブ４７により空気袋１４内からエアーを徐々に外へ排気でき、測定を終了したときに、排気バルブ４６により空気袋１４内からエアーを外へ急排気できる。
【００３０】
図４と図５に示す外布１６は、空気袋１４の外側と本体ケース１１の内側の間に配置され、変形可能で伸縮性が無い布部材である外側部材に相当する。図４と図５に示す内布カバー１７Ｃは、カフリングともいい、空気袋１４の内側を覆うことができ、この内布カバー１７Ｃを配置することで、測定者は上腕をスムーズに挿入したり外したりできる。内布カバー１７Ｃは、上述した空気袋１４の内側に着脱可能に配置でき、伸縮性を有する布部分１７Ｄと２つのＯ−リング状のリング部材１７Ｆ、１７Ｇを有している。布部分１７Ｄは、長さ方向と円周方向にいずれにも伸縮可能なナイロン、スパンデックス等のすべり性のあるストレッチ素材で形成されている。
【００３１】
図８（Ａ）は、外布１６と空気袋１４のユニットＵＴを示す斜視図であり、図８（Ｂ）は、このユニットＵＴを別の方向から見た斜視図であり、図８（Ｃ）は、ユニットＵＴを折りたたんだ状態を示す斜視図である。
図８（Ａ）と図８（Ｂ）に示すように、ユニットＵＴは４つに折り曲げてほぼ正方形断面の開口部Ｇを形成することができる。ユニットＵＴは４つの折り曲げ部分２００を有していることにより、図８（Ｃ）に示すように簡単に折りたたむことができる構造である。
図９（Ａ）は、空気袋１４とマイクロフォンＭを示す斜視図であり、図９（Ｂ）は、空気袋１４と外布１６と内布カバー１７Ｃと、マイクロフォンＭを示す図である。図９に示すように、２つのマイクロフォンＭが空気袋１４に取り付けられ、２つのマイクロフォンＭは互いに向かい合っている。
【００３２】
ここで、空気袋１４の構造例を説明する。
図１０は、空気袋１４を形成するためのシート例を示している。
図１０に示すシートＳＷは、ほぼ長方形状の例えば透明のプラスチックシートであり、伸縮性を備えていない例えばほぼ長方形状のプラスチック製のシート、一例としてポリウレタンシートにより形成されている。このシートＳＷは、フィルタ付き接続管２２０、コードフック２２１、４つの折れ線部分２２２、接合部分２２３，２２４、２つのマイクロフォン保持部２２５を有している。
接続管２２０は、図１に示すチューブ４の端部を接続する。コードフック２２１は、図１に示す有線３とチューブ４を掛ける。接合部分２２３，２２４は熱圧着により空気袋１４を形成する。マイクロフォン保持部２２５はそれぞれマイクロフォンＭを保持できる。シートＳＷは４つの折れ線部分２２２の部分で折り曲げることにより、図７に示す形状の空気袋１４を形成できる。
【００３３】
図１１は、空気袋１４を形成する工程例を示している。
図１１（Ａ）に示すように、シートＳＷは、折り曲げ線２２６，２２７で折り曲げて，図１１（Ｂ）に示すように接合部分２２３，２２４を接合する。そして、図１１（Ｃ）に示すように、４つの折れ線部分２２２で折り曲げることで空気袋１４が完成する。この空気袋１４は、４つの側面部２３１，２３２，２３３，２３４を備える。なお、図１０（Ｂ）に示すように、この空気袋１４内には、間隔をおいて３つのスペーサ２４０が配置されている。このスペーサ２４０は、弾性変形可能な直方体形状の部材であり、例えばプラスチックスポンジ等である。これにより、スペーサ２４０が配置されていることで、空気袋１４が必要以上につぶれてしまうのを防止できる。
【００３４】
次に、図１２は、図１の電子血圧計１のブロック構成図である。
図１２に示す電子血圧計１の回路ブロックを説明する。電子血圧計１の回路ブロックを示している。電子血圧計１の回路ブロックの破線で示すように、血圧計本体１０は、コロトコフ音（Ｋ音）検出システム５０と、加圧システム５１と、排気システム５２と、圧力検出システム５３と、電源システム５４と、音声システム５５と、制御システム５６を有する。
【００３５】
制御システム５６は、表示部３１の駆動部５８と、タイマ５９と、メモリ部６９等を有する。表示部３１の駆動部５８は、表示部３１を駆動制御して表示すべき項目を表示させる。メモリ部６９は、制御システム５６のＣＰＵ（中央処理部）により処理すべきプログラムが記憶されているＲＯＭ（読み出し専用メモリ）である。タイマ５９は、各種の動作の時間のカウントを行う。操作部５７は、制御システム５６に電気的に接続されており、すでに説明した開始／停止ボタン３７と、メモリ呼び出し・時刻・アラーム設定ボタン３８と、モード選択ボタン３９を有している。
【００３６】
図１２のコロトコフ音（Ｋ音）検出システム５０は、腕帯部２の２つのマイクロフォンＭと、Ｋ音検出回路部６０と、ノイズセンサ１５と、ノイズセンサ検出回路部６１を有している。２つのマイクロフォンＭは、Ｋ音検出回路部６０を介して制御システム５６に電気的に接続されている。図１に示すように、２つのマイクロフォンＭは、互いに対向した位置（上腕Ｔの動脈に近い位置と遠い位置）に配置されている。
【００３７】
図１２の２つのマイクロフォンＭは、測定者の血流音（血管情報）を検知し、Ｋ音検出回路部６０はこの血流音からＫ音を検出して制御システム５６にＫ音信号を伝える。制御システム５６は、入力されたＫ音信号からコロトコフ音と、このコロトコフ音の発生ポイントと、消滅ポイントを検出する。ノイズセンサ１５は、外部からマイクロフォンＭに入る振動ノイズを検知して、ノイズセンサ検出回路部６１を介して制御システム５６にノイズ信号を送る。これにより、制御システム５６は、Ｋ音信号からノイズを除去することで、Ｋ音検出信号の精度を高めている。
【００３８】
制御部としての制御システム５６は、Ｋ音信号を検出する。すなわち、加圧して血管内の血流を止めた後に減圧し、再び血流が流れる時の最初のＫ音信号が検出された時点の圧力を最高血圧値に設定し、更に減圧を続けて血管の管路断面積が十分に拡がり、Ｋ音信号が検出されなくなったら、最後のＫ音信号が検出された時点の圧力を最低血圧値に設定する。また、制御システム５６は、最高血圧値と最低血圧値から得られる血管脈動またはＫ音信号の出現間隔から脈拍数を演算する。
図１２に示す圧力検出システム５３は、配管部６３と、圧力センサ６４と、チューブ４を有している。圧力センサ６４は、圧力検出フィルタ４００と、アンプ、フィルタ、積分Ａ／Ｄ部６５を介して制御システム５６に電気的に接続されている。
【００３９】
図１２の加圧システム５１は、第１ポンプ４４と第２ポンプ４５と、第１ポンプ４４と第２ポンプ４５の駆動部６２を有する。制御部としての制御システム５６の指令により、例えば駆動部６２は、第１ポンプ４４をＰＷＭ（パルス幅制御）制御により回転数の駆動制御をするとともに、第２ポンプ４５をＰＷＭ（パルス幅制御）制御により回転数の駆動制御をすることができる。このように、第１ポンプ４４と第２ポンプ４５は、駆動部６２によりそれぞれ別々に駆動制御できるようになっている。
第１ポンプ４４と第２ポンプ４５は、圧力検出システム５３の配管部６３を通じて腕帯部２の空気袋１４内に接続されている。
電子血圧計１では、腕帯部２内を第１ポンプ４４と第２ポンプ４５で加圧した後、微速度で排気して減圧しつつ圧力センサ６４を用いて腕帯部２の空気袋内の圧力を検出すると同時に、マイクロフォンＭを用いてコロトコフ音（Ｋ音）を検出する。そして、電子血圧計１は、Ｋ音信号と、このＫ音信号の発生ポイントと消滅ポイントを検出することで、最高血圧値と最低血圧値を算出して、算出した最高血圧値と最低血圧値を表示部３１に表示できる。
【００４０】
次に、排気システム５２について説明する。排気システム５２は、２つの駆動部６６，６７と、排気バルブ（強制排気部）４６と、制御バルブ（減圧制御部）４７を有する。排気バルブ４６と制御バルブ４７は配管部６３の途中に配置されている。制御システム５６が駆動部６６に指令をすることで、排気バルブ４６の開閉を行い、制御システム５６が駆動部６７に指令をすることで、制御バルブ４７の開閉を行う。
【００４１】
電源システム５４は、電池６８と、電源コントロール部６９Ｃと、電源監視部７０を有する。電池６８は、繰り返して充電可能な例えばリチウムイオン電池であるが、特に種類は限定されず、乾電池等でも良い。電池６８の電圧は、電源コントロール部６９Ｃにより制御されて制御システム５６に供給されるとともに、第１ポンプ４４と第２ポンプ４５の駆動電源、音声制御部７１へ供給する電源でもある。電源監視部７０は、電池６８の残量等の監視を行う。また、ＡＣアダプタを用いることで１００Ｖの商用電源を用いることができる。
【００４２】
音声システム５５は、音声制御部７１と、増幅部７２を有している。音声制御部７１と増幅部７２は、制御システム５６からの指令により制御される。音声制御部７１は、制御システム５６の指令により、音声によるガイダンスデータもしくは音楽データを増幅部７２に送って増幅することで、スピーカ４３は音声によるガイド用のアナウンスと音楽によるガイド用のアナウンスを発生することができる。
【００４３】
次に、測定者が、上述した電子血圧計１を用いて血圧測定する際の測定操作例を説明する。血圧測定は、血圧測定プログラムの手順に従って行う。血圧測定プログラムは、例えば通常モードＭ１、最高血圧モードＭ２、最低血圧モードＭ３を有する。以下に、これらのモードを順番に説明する。
（通常モードＭ１）
図１に示す腕帯部２の本体ケース１１のプレート部材２１０は、すでに説明したように本体ケース１１の軸方向に沿って長くなるように形成されており、腕帯部２は、このプレート部材２１０を用いて、血圧計本体１０のマグネット４０Ｍにより血圧計本体１０の窪み部分４０において磁気的に吸着して結合されている。図３に示すように、測定者は、この腕帯部２を血圧計本体１０の窪み部分４０から、マグネット４０Ｍの磁気的吸引力に抗して持ち上げることで、腕帯部２を血圧計本体１０の窪み部分４０から容易に外すことができる。このように、測定者が血圧測定をする際には、腕帯部２を血圧計本体１０から簡単に取り外すことができる。これにより、血圧計本体１０の設置場所が測定者から離れていても、測定者は座位にて背を伸ばして腹圧の掛からない状態で容易に血圧測定ができる。
【００４４】
図１に示すように、腕帯部２を血圧計本体１０の窪み部分４０に載置された場合に、開始／停止ボタン３７は腕帯部２の下側に位置しており、測定者が腕帯部２を血圧計本体１０の窪み部分４０から持ち上げて外さないと、開始／停止ボタン３７が外部に露出しないようになっている。これにより、測定者は、腕帯部２を持ち上げて上腕Ｔを通して測定しようとする状態になってから、開始／停止ボタン３７を押すことができるので、測定しない時に不用意に開始／停止ボタン３７を押してしまうといったことが無くなる。
【００４５】
測定者が腕帯部２を血圧計本体１０から持ち上げた状態で、腕帯部２の本体ケース１１は、図６と図７（Ａ）に示すように最も拡径された状態になっている。すなわち、拡径状態の本体ケース１１では、第２端部１０２の突起部１２１が本体ケース１１の弾性力により第１端部１０１の中間突部１１１Ｄに突き合った状態になり、これ以上本体ケース１１の直径が大きくなることはない。測定者は、この拡径状態の本体ケース１１の把持部１１Ｈを把持しながら、例えば右の上腕を図３（Ｂ）に示すように開口部１１Ｐから開口部１１Ｒにかけて挿入する。これにより、測定者は右の上腕を拡径状態の本体ケース１１の開口部に容易に挿入することができる。このことは、測定者が左の上腕を挿入する場合であっても同じである。
【００４６】
続いて、測定者は、指で図７（Ａ）に示す本体ケース１１の第２端部１０２の握り部分１０６を持って、第２端部１０２の内面１０４側を第１端部１０１の外面１０３からＥ方向に持ち上げて、第２端部１０２の突起部１２１と第１端部１０１の中間突部１１１Ｄとの係合を解除して、しかも握り部分１０６をＶ１方向に持ち上げる。第２端部１０２にはへこみ部１２２が形成され第２端部１０２が弾性変形し易いので、測定者が握り部分１０６を持ってＥ方向に持ち上げてしかもＶ１方向に持ち上げることを容易できる。
これにより、図７（Ｂ）に示すように、例えば第２端部１０２の突起部１２１と第１端部１０１の中間突部１１１Ａとが、本体ケース１１の弾性復帰力により係合し、本体ケース１１は、図７（Ｂ）に示すように最も縮径された状態になる。このため、腕帯部２は本体ケース１１の縮径を利用して上腕に対して確実に仮止めすることができる。
【００４７】
このように腕帯部２を上腕に仮止めすることにより、通常の布製の腕帯部に比べて比較的重量がある腕帯部２が上腕から滑り落ちることを防ぐことができ、測定者が血圧測定を開始する際に、腕帯部を上腕の所定の測定位置に仮止めして保持することでき、すなわち、図９に示す２つのマイクロフォンＭは、互いに対向した位置（上腕Ｔの動脈に近い位置と遠い位置）に正確に配置することができる。従って、測定者は腕帯部２を用いて正確な血圧測定が行えることになる。
【００４８】
上述したようにして腕帯部２を上腕に仮固定した後に、測定者が図１に示すモード選択ボタン３９を押して通常モードＭ１を選択した場合には、測定者は図１の開始／停止ボタン３７を押して血圧測定を開始する。図１の第１ポンプ４４と第２ポンプ４５が全速力で空気袋１４を昇圧して、２つのマイクロフォンＭが、測定者の血流音（血管情報）を検知して脈が消滅するまで全速力で腕帯部２内の空気袋１４を昇圧する。制御システム５６が脈の消失を判断したら腕帯部２内の昇圧を停止する。
そして、腕帯部２内を少しずつ減圧（例えば２〜５ｍｍＨｇ／秒）していき、最高血圧値と最低血圧値を検出する。最高血圧値と最低血圧値を図１の表示部３１に表示して、ポンプ４４，４５と排気バルブ４６を作動して腕帯部２内の空気袋１４を急排気する。このように、最高血圧値と最低血圧値を表示部３１に表示できた時点で、腕帯部２内の空気袋１４を急排気することで、測定者の上腕に対する圧迫を即座に解消できるので、測定者への負担を軽減できる。
【００４９】
測定後に、図７（Ｂ）に示す本体ケース１１の縮径状態からＶ２方向に沿って図７（Ａ）に示す拡径状態に戻すには、測定者が指で第２端部１０２の握り部分１０６を持って、第２端部１０２の内面１０４側を第１端部１０１の外面１０３からＥ方向に持ち上げる。これにより、第２端部１０２の突起部１２１と第１端部１０１の中間突部１１１Ａとの突き当て状態を解除して、本体ケース１１の弾性復帰力を利用して、図７（Ｂ）に示す本体ケース１１の縮径状態からＶ２方向に沿って図７（Ａ）に示す拡径状態に戻すことができる。本体ケース１１を図７（Ａ）に示す拡径状態に戻すと、第２端部１０２の突起部１２１と第１端部１０１の中間突部１１１Ｄに突き合った状態になり、これ以上本体ケース１１の直径が大きくなることはない。このようにして、本体ケース１１を拡径した後に、測定者は腕帯部２から上腕を容易に抜き出すことができる。
【００５０】
（最高血圧モードＭ２）
また、測定者が把持部１１Ｈを把持しながら例えば右の上腕を開口部１１Ｐから開口部１１Ｒにかけて挿入し、上述したようにして測定者が腕帯部２を上腕に仮固定した後に、測定者が図１に示すモード選択ボタン３９を押して最高血圧モードＭ２を選択した場合には、測定者は図１の開始／停止ボタン３７を押して血圧測定を開始する。図１のポンプ４４，４５が全速力で空気袋１４を昇圧して、２つのマイクロフォンＭが、測定者の血流音を検知して脈が消滅するまで全速力で腕帯部２内の空気袋１４を昇圧する。制御システム５６が脈の消失を判断したら腕帯部２内の空気袋１４の昇圧を停止する。
【００５１】
そして、少しずつ減圧（例えば２〜５ｍｍＨｇ／秒）していき、図１のスピーカ４３が腕帯部２内の空気袋１４を減圧時のカフ値毎に、例えば１０ｍｍＨｇ毎に圧力値を音声によりアナウンスし、最高血圧値だけを検出する。その後、図１のスピーカ４３は最高血圧値と脈拍数を音声によるガイドでアナウンスして、第１ポンプ４４と第２ポンプ４５と排気バルブ４６を作動して腕帯部２内の空気袋１４を急排気する。これにより、最高血圧値と脈拍数を音声によるガイドでアナウンスしながら腕帯部２内を急排気することで、測定者の上腕に対する圧迫を即座に解消できるので、測定者への負担を軽減できる。
測定後に、図７（Ｂ）に示す本体ケース１１の縮径状態からＶ２方向に沿って図７（Ａ）に示す拡径状態に戻す要領は、通常モードＭ１の場合と同じである。
【００５２】
（最低血圧モードＭ３）
また、測定者が把持部１１Ｈを把持しながら例えば右の上腕を開口部１１Ｐから開口部１１Ｒにかけて挿入し、上述したようにして測定者が腕帯部２を上腕に仮固定した後に、測定者が図１に示すモード選択ボタン３９を押して最低血圧モードＭ３を選択した場合には、測定者は図１の開始／停止ボタン３７を押して血圧測定を開始する。少しずつ昇圧（例えば２〜５ｍｍＨｇ／秒）していき、図１のスピーカ４３が腕帯部２内の空気袋１４を昇圧時のカフ値毎に、例えば１０ｍｍＨｇ毎に圧力値を音声アナウンスし、最低血圧値を検出する。その後、脈が消失したら昇圧を停止して、図３のスピーカ４３が最低血圧値を音声によるガイドでアナウンスをするとともに、第１ポンプ４４と第２ポンプ４５と排気バルブ４６を作動して腕帯部２内の空気袋１４を急排気する。
測定後に、図７（Ｂ）に示す本体ケース１１の縮径状態からＶ２方向に沿って図７（Ａ）に示す拡径状態に戻す要領は、通常モードＭ１の場合と同じである。
【００５３】
なお、上述したように図６と図７に示す仮止め設定部１００の構造を採用することで、いずれの血圧測定モードの場合においても、本体ケース１１の径の大小は、図７に示す第２端部１０２の突起部１２１を、第１端部１０１の中間突部１１１Ａ〜１１１Ｃのいずれかに突き当てるようにすることで、腕帯部２の径の大小は３段階に調整できる。しかし、これに限らず仮止め設定部１００の構造は、本体ケース１１の拡径状態を２段階あるいは４段階以上に設定できるようにしても良い。
【００５４】
（実施形態２）
図１３は、本発明の電子血圧計の好ましい実施形態２を前側から示す斜視図であり、図１４は、本発明の実施形態２における、仮止め設定部１５０の構造を示す図である。
図１３に示す本発明の実施形態２の電子血圧計１Ａの要素が、図１に示す本発明の実施形態１の電子血圧計１の対応する要素と実質的に同じである場合には、同じ符号を記してその説明を用いる。
図１３に示す本発明の実施形態２の電子血圧計１Ａでは、仮止め設定部１５０の構造が図１に示す仮止め設定部１００の構造とは異なる。
【００５５】
図１４（Ａ）は、血圧測定する前の本体ケース１１を拡径した状態を示し、図１４（Ｂ）は、血圧測定するために腕帯部２に上腕を挿入した後に本体ケース１１を縮径して仮止めした状態を示している。
図１３と図１４に示すように、本体ケース１１は、仮止め設定部１５０を有している。本体ケース１１はＤ１方向に割って形成されており、本体ケース１１は、その円筒端部から見て、リングの一端側である第１端部４０１と、リングの他端側である第２端部４０２を有する。
すなわち、第１端部４０１と第２端部４０２の間には、間隔ＳＰが形成されている。仮止め設定部１５０は、この第１端部４０１と、第２端部４０２と、間隔調整部材４０３を有している。図１４に示すように第１端部４０１には接続部材４０４の一端部が接続され、第２端部４０２には接続部材４０４の他端部が接続されている。この接続部材４０４は、弾性変形可能な例えば薄板状のゴム部材で作られている。
【００５６】
間隔調整部材４０３は、変形可能であるが伸びない材質、例えばプラスチック板である。間隔調整部材４０３の一端部４０３Ｂは、接着剤４０７を介して第２端部４０２の外面に固定されている。間隔調整部材４０３の他端部には握り部分４０６を有している。間隔調整部材４０３の内面の複数箇所には、着脱可能な固定手段としての面ファスナのオス部材４１０，４１１が固定されている。一方、第１端部４０１の外面には、着脱可能な固定手段としての面ファスナのメス部材４１２が固定されている。
【００５７】
図１４（Ａ）に示すように、血圧測定する前の本体ケース１１を拡径した状態では、第１端部４０１と第２端部４０２が離れて間隔ＳＰが大きく、接続部材４０４が比較的伸びた状態になっている。間隔調整部材４０３の面ファスナのオス部材４１０が、第１端部４０１の面ファスナのメス部材４１２に対して着脱可能に固定されている。
測定者は、図１３に示すこの拡径状態の本体ケース１１の把持部１１Ｈを把持しながら、例えば右の上腕を図３（Ｂ）に示すように開口部１１Ｐから開口部１１Ｒにかけて挿入する。これにより、測定者は右の上腕を拡径状態の本体ケース１１の開口部に容易に挿入することができる。このことは、測定者が左の上腕を挿入する場合であっても同じである。
【００５８】
続いて、測定者は、指で図１４（Ａ）に示す間隔調整部材４０３の握り部分４０６を持ってＥ方向に持ち上げて、第１端部４０１の面ファスナのメス部材４１２から面ファスナのオス部材４１０を引き離す。そして、間隔調整部材４０３をＶ１方向に持ち上げて、第１端部４０１側に第２端部４０２を近づけて、図１４（Ｂ）に示すように、面ファスナのオス部材４１１を面ファスナのメス部材４１２に対して着脱可能に固定することで、本体ケース１１は、図１４（Ｂ）に示す縮径状態になる。このため、腕帯部２は本体ケース１１の縮径を利用して上腕に対して仮止めすることができる。
このように腕帯部２を上腕に仮止めすることにより、腕帯部２が上腕から滑り落ちることを防ぐことができ、血圧測定を開始する際に、腕帯部を上腕に上腕の所定の測定位置に仮止めして保持することでき、正確な血圧測定が行えることになる。
【００５９】
測定後に、図１４（Ｂ）に示す本体ケース１１の縮径状態からＶ２方向に沿って図１４（Ａ）に示す拡径状態に戻すには、測定者が指で握り部分４０６を持ってＥ方向に持ち上げて第１端部４０１の面ファスナのメス部材４１２から面ファスナのオス部材４１１を引き離す。これにより、第１端部４０１と第２端部４０２を本体ケース１１の弾性復帰力を利用して、本体ケース１１の縮径状態からＶ２方向に沿って図１４（Ａ）に示す拡径状態に戻すことができる。本体ケース１１を図１４（Ａ）に示す拡径状態に戻すと、腕帯部２から上腕を容易に抜き出すことができる。
ところで、上述した本発明の実施形態１と実施形態２では、腕帯部に上腕を挿入して血圧測定をする場合には、腕帯部２の本体ケース１１は上腕の太さに合わせて仮止めすることができ、本体ケース１１の直径を小さくすることができる。このため、本発明の実施形態は従来の径の調整できない腕帯部に比べて、空気袋に供給する空気の量を少なくても上腕を確実に加圧できるので、ポンプの小型化が図れる。
【００６０】
本発明の電子血圧計では、仮止め設定部は、血圧測定を開始する際に、腕帯部を上腕に上腕の所定の測定位置に仮止めして保持することでき、正確な血圧測定が行える。しかも、腕帯部が上腕の所定の測定位置からずれないので正確な血圧測定ができ、測定者にとっては、血圧計本体側の測定開始ボタンを押す動作が容易となる。
また、本発明の実施形態１では、仮止め設定部の突起部を凹部に対してはめ込んで、第１端部と第２端部との相対位置を変えるだけで、腕帯部を上腕に上腕の所定の測定位置に簡単に仮止めして保持することできる。
本発明の実施形態２では、仮止め設定部の間隔調整部材の他端部をケースの第１端部に対して着脱可能に固定して、第１端部と第２端部との間隔を小さくするだけで、腕帯部を上腕に上腕の所定の測定位置に簡単に仮止めして保持することできる。
本発明の実施形態１と２では、仮止め設定部は、腕帯部を上腕の所定の測定位置に仮止めして保持して、マイクロフォンを正確な位置に位置決めすることでき、正確な血圧測定が行える。
本発明の各実施形態の電子血圧計では、測定しようとする時には腕帯部が血圧計本体から簡単に取り外しできるようにする一方、血圧測定をしない時には腕帯部が血圧計本体から脱落しないように固定できる。このため、測定者は電子血圧計を用いて血圧測定をする際に使用勝手を向上できる。
【００６１】
ところで、本発明は上記実施形態に限定されず、種々の変形例を採用することができる。例えば、図示例では、把持部１１Ｈはほぼ扇型であるが、これに限らず任意の形状を採用できる。表示部３１は、例えば液晶表示装置の他に、有機ＥＬ装置、蛍光表示装置等、特に種類は限定されない。
本発明の実施形態１では、仮止め設定部は、本体ケースにおいて軸方向に沿って形成された第１端部と第２端部を有し、第１端部と第２端部は重なっている。ケースの第１端部には凹部が形成され、ケースの第２端部には凹部に対して着脱可能にはめ込むための突起部が形成され、第１端部と前記第２端部との相対位置を変更して保持可能な構成となっている。しかし、これに限らず、逆に、仮止め設定部は、本体ケースにおいて軸方向に沿って形成された第１端部と第２端部を有し、第１端部と第２端部は重なっており、ケースの第１端部には突起部が形成され、ケースの第２端部にはこの突起部を着脱可能にはめ込むための凹部が形成され、第１端部と第２端部との相対位置を変更して保持可能な構成とすることもできる。
上述した本発明の実施形態では、電子血圧計は、血圧測定方式としてリバロッチ・コロトコフ法が用いられ、コロトコフ音（Ｋ音）を検出して血圧測定を行うようになっているが、圧脈波（オシロメトリック法）等の他の血圧測定方式を採用しても良い。
【符号の説明】
【００６２】
１・・・電子血圧計、２・・・腕帯部、１０・・・血圧計本体、１１・・・本体ケース（硬質で筒状のケースの一例）、・・・、１１Ｐ、１１Ｒ・・・開口部、１６・・・外布、１７Ｃ・・・内布カバー、４４・・・第１ポンプ、４５・・・第２ポンプ、５０・・・コロトコフ音（Ｋ音）検出システム、５１・・・加圧システム、５２・・・排気システム、５３・・・圧力検出システム、５６・・・制御システム（制御部）、６２・・・ポンプの駆動部、１００・・・仮止め設定部、１０１・・・第１端部、１０２・・・第２端部、１１１Ａ〜１１１Ｄ・・・第１端部の中間突部、１１２・・・第１端部の凹部、１２１・・・第２端部の突起部、４０１・・・第１端部、４０２・・・第２端部、４０３・・・間隔調整部材
【図１】
2011125394.tif 000003
【図２】
2011125394.tif 000004
【図３】
2011125394.tif 000005
【図４】
2011125394.tif 000006
【図５】
2011125394.tif 000007
【図６】
2011125394.tif 000008
【図７】
2011125394.tif 000009
【図８】
2011125394.tif 000010
【図９】
2011125394.tif 000011
【図１０】
2011125394.tif 000012
【図１１】
2011125394.tif 000013
【図１２】
2011125394.tif 000014
【図１３】
2011125394.tif 000015
【図１４】
2011125394.tif 000016